(57)【要約】  本発明は、新規の飲料容器と、自動キオスク内で容器にキャップを固定する機構とに関する。この容器は、堆肥化可能なシェルと、飲料用バッグと、その他の構成要素とを含む。飲料用バッグは、任意に熱、接着剤又は超音波エネルギーを使用することなく、機械的密封リングを用いて閉鎖肩部に密封される。キャップは、キオスク内の機構によって閉鎖肩部に固定される。【選択図】      図１Ａ
2018536603.tif 000002
【特許請求の範囲】
【請求項１】
飲料容器であって、
シェルと、
前記シェル内の、上部開口部を含む飲料用バッグと、
前記飲料用バッグ内に位置する第１の部分と、前記飲料用バッグの前記上部開口部の外側に突出する、第１のロック用リングを含む第２の部分とを含む機械的密封リングと、
前記第１のロック用リングに係合して、前記飲料用バッグの前記上部開口部を取り囲む前記飲料用バッグの部分を前記第１のロック用リングとの間にクランプする第２のロック用リングを含むクロージャ肩部と、
前記クロージャ肩部に固定されたキャップと、
を備えることを特徴とする飲料容器。
【請求項２】
前記クロージャ肩部は突出部を含み、前記シェルは、前記突出部に係合して前記クロージャ肩部の一部を前記シェル内に保持するロックタブを含む、
請求項１に記載の飲料容器。
【請求項３】
前記シェルは、該シェルの側壁に係合するノッチを含む底部フラップをさらに含む、
請求項１に記載の飲料容器。
【請求項４】
前記飲料容器は、同じ設計の第２の飲料容器を入れ子構成で受け取るように成形される、
請求項１に記載の飲料容器。
【請求項５】
前記飲料容器は、堆肥化可能である、
請求項１に記載の飲料容器。
【請求項６】
前記シェルは、紙、板紙又は積層セルロース繊維のうちの１つ又は２つ以上を含む、
請求項５に記載の飲料容器。
【請求項７】
前記機械的密封リング、前記クロージャ肩部及び前記キャップは、堆肥化可能なポリマーを含む、
請求項６に記載の飲料容器。
【請求項８】
飲料容器の組み立て方法であって、
バッグの底部における第１の開口部を通じて前記バッグ内に機械的密封リングを配置するステップと、
前記機械的密封リングの一部を前記バッグの頂部における第２の開口部に通すステップと、
前記機械的密封リング上の第１のロック用リングをクロージャ肩部における第２のロック用リングに係合させて、前記機械的密封リング及び前記クロージャ肩部が、前記第２の開口部を取り囲む前記バッグの部分を前記機械的密封リングと前記クロージャ肩部との間にクランプするようにするステップと、
前記バッグの前記底部における前記第１の開口部を密封するステップと、
前記クロージャ肩部にキャップを固定するステップと、
前記バッグの周囲にシェルを配置するステップと、
を含むことを特徴とする方法。
【請求項９】
前記クロージャ肩部は突出部を含み、前記シェルはロックタブを含み、前記方法は、前記ロックタブを前記突出部に係合させて前記クロージャ肩部の一部を前記シェル内に保持するステップをさらに含む、
請求項８に記載の方法。
【請求項１０】
前記シェル上の底部フラップを閉じるステップをさらに含む、
請求項８に記載の方法。
【請求項１１】
前記飲料容器は、堆肥化可能である、
請求項１０に記載の方法。
【請求項１２】
前記シェルは、紙、板紙又は積層セルロース繊維のうちの１つ又は２つ以上を含む、
請求項１１に記載の方法。
【請求項１３】
前記機械的密封リング、前記クロージャ肩部及び前記キャップは、堆肥化可能なポリマーを含む、
請求項１２に記載の方法。
【請求項１４】
飲料容器の積み重ね方法であって、
請求項８に記載の方法に従って第１の飲料容器を組み立てるステップと、
請求項８に記載の方法に従って第２の飲料容器を組み立てるステップと、
前記第２の飲料容器の前記キャップが前記第１の飲料容器の前記クロージャ肩部内で入れ子状になるように、前記第２の飲料容器を前記第１の飲料容器の下方に配置するステップと、
を含むことを特徴とする方法。
【請求項１５】
前記第１の飲料容器及び前記第２の飲料容器は、堆肥化可能である、
請求項１４に記載の方法。
【請求項１６】
飲料を組み立ててキオスクから供給する方法であって、
前記キオスク内の入れ子状の飲料容器のスタックから飲料容器を取得するステップと、
前記飲料容器を前記キオスク内の閉鎖ユニット内に配置して前記飲料容器の底部フラップを閉じるステップと、
前記飲料容器をシャトル内に配置するステップと、
前記シャトルを用いて前記飲料容器を第１のサブアセンブリに移動させるステップと、
前記第１のサブアセンブリが前記飲料容器からキャップを取り外すステップと、
前記シャトルを用いて前記飲料容器を第２のサブアセンブリに移動させるステップと、
前記第２のサブアセンブリが前記飲料容器を液体で満たすステップと、
前記シャトルを用いて前記飲料容器を前記第１のサブアセンブリに移動させるステップと、
前記第１のサブアセンブリが前記飲料容器に前記キャップを固定するステップと、
前記飲料容器を前記キオスクから供給するステップと、
を含むことを特徴とする方法。
【請求項１７】
前記液体は、濾過水を含む、
請求項１６に記載の方法。
【請求項１８】
前記底部フラップは、前記飲料容器の側壁に係合するノッチを含む、
請求項１６に記載の方法。
【請求項１９】
前記飲料容器は、堆肥化可能である、
請求項１６に記載の方法。
【請求項２０】
前記キャップは、堆肥化可能なポリマーを含む、
請求項１９に記載の方法。
【発明の詳細な説明】
【技術分野】
【０００１】
〔優先権の主張〕
本出願は、２０１５年１２月３日に出願された「環境に優しい飲料供給キオスクのためのキャッパーシステム（Ｃａｐｐｅｒ  Ｓｙｓｔｅｍ  ｆｏｒ  Ｅｃｏ−Ｆｒｉｅｎｄｌｙ  Ｂｅｖｅｒａｇｅ  Ｄｉｓｐｅｎｓｉｎｇ  Ｋｉｏｓｋ）」という名称の米国仮特許出願第６２／３８６，４７２号、及び２０１６年１１月２３日に出願された「堆肥化可能な使い捨て飲料容器及び関連する容器密封機構（Ｃｏｍｐｏｓｔａｂｌｅ  Ｓｉｎｇｌｅ−Ｕｓｅ  Ｂｅｖｅｒａｇｅ  Ｃｏｎｔａｉｎｅｒ  Ａｎｄ  Ａｓｓｏｃｉａｔｅｄ  Ｍｅｃｈａｎｉｓｍ  Ｆｏｒ  Ｓｅａｌｉｎｇ  Ｔｈｅ  Ｃｏｎｔａｉｎｅｒ）」という名称の米国特許出願第１５／３６０，０３３号の合衆国法典第３５編第１１９条（ｅ）に基づく優先権を主張するものであり、これらの文献は引用により本明細書に組み入れられる。
【０００２】
本発明は、新規の飲料容器と、自動キオスク内で容器にキャップを固定する機構とに関する。この容器は、堆肥化可能なシェルと、飲料用バッグと、その他の構成要素とを含む。飲料用バッグは、任意に熱、接着剤又は超音波エネルギーを使用することなく、機械的密封リングを用いてクロージャ肩部（ｃｌｏｓｕｒｅ  ｓｈｏｕｌｄｅｒ）に密封される。キャップは、キオスク内の機構によってクロージャ肩部に固定される。
【背景技術】
【０００３】
従来の消費者飲料業界は、輸送しなければならない莫大な重量、及びその液体を収容するために使用されるプラスチックの量に起因して効率性が低く無駄が多い。さらに、使用するパッケージング材料は、長い流通網及び保存期間を耐え抜くために、自然劣化をほぼ不可能にする非常に頑丈なものでなければならず、従ってこの業界からの廃棄物の管理を誤ると環境破壊が引き起こされる。
【０００４】
従来の消費者飲料業界によって使用されている、（ボトル入り飲料水、スポーツドリンク、炭酸飲料及びフレーバーウォーターなどの）消費者飲料を開発して流通させるための先行技術の方法は、ＰＥＴ（ポリエチレンテレフタレート）から硬質の容器をねじキャップクロージャ（ｓｃｒｅｗ  ｃａｐ  ｃｌｏｓｕｒｅ）と共に射出ブロー成形し、容器を充填し、密封し、パレット積みして世界中に出荷するものである。この方法では、飲料が無傷で消費者の手元に届いて直ぐに飲めることを保証する頑丈なパッケージング材料が求められるが、このことは、ＮＯＡＡによって観察されるように、パッケージが自然分解するには硬すぎることによって大量のプラスチック廃棄物が水路内に蓄積することも意味する。また、使い捨てペットボトル及びその他の容器が地球規模で消費されることにより、瓶詰工場から消費者に飲料を輸送するための化石燃料の消費に起因する大規模な生態系被害が引き起こされていることも周知である。
【０００５】
出願人は、既に２０１４年４月１日に「環境に優しい飲料供給キオスクのためのシステム及び方法（Ｓｙｓｔｅｍ  ａｎｄ  Ｍｅｔｈｏｄ  ｆｏｒ  Ｅｃｏ−Ｆｒｉｅｎｄｌｙ  Ｂｅｖｅｒａｇｅ  Ｄｉｓｐｅｎｓｉｎｇ  Ｋｉｏｓｋ）」（キオスク出願）という名称の米国特許出願第１４／２４２，２９５号を出願しており、この文献は引用により本明細書に組み入れられる。このキオスク出願は、局所的給水装置から飲料容器内に濾過水を分注する新規の自動キオスクについて記載したものである。キオスク内に予め飲料容器を積み込んでおいて空間効率よく積み重ねる。キオスク出願に記載される自動キオスクは、従来の消費者飲料分注機を環境に優しい形で改善することに成功した。しかしながら、出願人の経験に基づけば、特に飲料容器自体、及びキオスク内でボトルを組み立て、充填してキャップ締めする機構の設計に依然としていくつかの改善が必要である。
【発明の概要】
【課題を解決するための手段】
【０００６】
出願人は、キオスク出願の発明と共に使用する改善された飲料容器設計を考案した。出願人は、キオスク内で飲料容器を組み立て、容器を充填して容器にキャップを固定する改善されたシステム及び方法をさらに考案した。
【０００７】
本発明は、新規の飲料容器と、自動キオスク内で容器にキャップを固定する機構とに関する。この容器は、堆肥化可能なシェルと、飲料用バッグと、その他の構成要素とを含む。飲料用バッグは、任意に熱、接着剤又は超音波エネルギーを使用することなく、機械的密封リングを用いてクロージャ肩部に密封される。キャップは、キオスク内の機構によってクロージャ肩部に固定される。容器は、ボトル入り飲料水及びその他の飲料の販売において使用される容易に生分解可能な（例えば、ＡＳＴＭ標準下での「堆肥化可能な」又は「家庭内堆肥化可能な」）容器である。この容器は、限定するわけではないが、キオスク出願に開示されるキオスクを含む、購入時に現場で容器を充填する飲料キオスクで使用できるように設計される。この容器は、様々な標準化団体が「堆肥化可能」又は「家庭内堆肥化可能」なものとして指定し、或いは同様の指定で販売するための認証に必要とされる試験に合格できるように設計される。
【０００８】
本発明の１つの態様では、機械的密封インサートを用いて飲料容器のクロージャ肩部に飲料用バッグを取り付ける。
【０００９】
本発明の別の態様では、容器のシェルが、任意に接着剤、熱、超音波手段又は他のあらゆる接着技術に頼らずに液体保持クロージャアセンブリを保持する目的で、以下に限定するわけではではないが、切断され及び／又は打ち抜かれて、一方向板紙ロックフラップを有する硬質の３次元物体に折り畳まれた紙、板紙及び／又は積層セルロース繊維を含むシート材料で構成される。
【００１０】
本発明の別の態様では、容器が、他の同じ種類の容器と入れ子状になるように設計される一方で、液体保持アセンブリの内面は、輸送中及び保管中に無菌状態を保証するように密封される。
【００１１】
本発明の別の態様では、充填及び供給プロセスの一部としてキオスク内で飲料容器に密封キャップを取り付けるシステム及び方法を利用する。本発明は、キオスク内に保管されたスタックから飲料容器本体を取り外し、既に取り付けられているキャップを飲料容器から螺脱させ、飲料容器を配置して充填し、再び飲料容器上にキャップを螺着させ、プロセスを通じて飲料容器の全ての必要な動きを実行する。
【００１２】
本発明は、キオスク出願の発明と同様に、環境に優しい材料の使用を可能にするとともに顧客が購入するまで飲料容器を充填しないことによって先行技術の有害な飲料パッケージング及び流通手段をユーザが回避できるようにし、これによって不必要な水の輸送を排除し、輸送コスト及びＣＯ２放出を一桁よりも多く大幅に削減する。
【図面の簡単な説明】
【００１３】
【図１Ａ】本発明の飲料容器のいくつかの構成要素の側面図である。
【図１Ｂ】本発明の飲料容器のいくつかの構成要素の側面図である。
【図２Ａ】本発明の飲料容器の複数のユニットの入れ子スタック（ｎｅｓｔｅｄ  ｓｔａｃｋ）の側面図である。
【図２Ｂ】本発明の飲料容器の複数のユニットの入れ子スタックの側面図である。
【図３Ａ】本発明の飲料容器のいくつかの構成要素の別の側面図である。
【図３Ｂ】本発明の飲料容器のいくつかの構成要素の別の側面図である。
【図３Ｃ】本発明の飲料容器のいくつかの構成要素の別の側面図である。
【図４Ａ】本発明の飲料容器のロック機構の側面図である。
【図４Ｂ】本発明の飲料容器のロック機構の側面図である。
【図５Ａ】本発明の飲料容器における、機械的密封リングとクロージャ肩部との間に飲料用バッグを固定する固定機構の側面図である。
【図５Ｂ】本発明の飲料容器における、機械的密封リングとクロージャ肩部との間に飲料用バッグを固定する固定機構の側面図である。
【図６Ａ】様々な組み立て状態にある本発明の飲料容器の側面図である。
【図６Ｂ】様々な組み立て状態にある本発明の飲料容器の側面図である。
【図６Ｃ】様々な組み立て状態にある本発明の飲料容器の側面図である。
【図７】本発明の飲料容器の様々な構成要素の分解側面図である。
【図８Ａ】本発明の飲料容器の様々な構成要素の別の分解側面図である。
【図８Ｂ】本発明の飲料容器の様々な構成要素の別の分解側面図である。
【図９】飲料容器を受け取り、キャップを取り外し、飲料容器を充填して再びキャップを取り付けるキャッピングシステムを示す図である。
【発明を実施するための形態】
【００１４】
図１〜図８に本発明の実施形態を示す。図１Ａ及び図１Ｂは、飲料容器１００の側面図である。図１Ａを参照すると、飲料容器１００は、キャップ１０１と、クロージャ肩部１０２と、飲料用バッグ１１１とを含む。図１Ｂを参照すると、ここにはシェル１０３を示している。シェル１０３は、本体１０４と、ヒンジ部１０６と、底部フラップ１０５とを含む。底部フラップ１０５は、ノッチ１０７を含む。
【００１５】
図２Ａ及び図２Ｂは、飲料容器１００のスタックの側面図である。図示のように、飲料容器１００は、飲料容器１００の複数のユニットが積み重なった入れ子構成を可能にするように設計される。各飲料容器１００は、そのクロージャ肩部１０２に既に固定されているキャップを１０１含む。第１のユニットのキャップ１０１は、第１のユニットの上部に積み重なった第２のユニットのクロージャ肩部１０２内に収まることができる。図２Ｂに示すように、各ユニットの底部フラップ１０５は、開いて共に入れ子状になっている。
【００１６】
図３Ａ、図３Ｂ及び図３Ｃは、飲料容器１００の側面図である。図３Ａは、クロージャ肩部１０２の底面図を含む。クロージャ肩部１０２は、ロック用リング１１６を含む。図３Ｂでは、飲料容器１００の底部を閉じてシェル１０３の側壁と実質的に垂直になる底部フラップ１０５が、ヒンジ部１０６を介して離脱位置から付着位置に移動できることが分かる。図３Ｃでは、ノッチ１０７が（任意にシェル１０３の側壁のスリット内に挿入されることによって）シェル１０３の側壁に係合して底部フラップ１０５を適所に保持することが理解できる。
【００１７】
図４Ａ及び図４Ｂは、飲料容器１００のさらなる側面図である。図４Ｂは、シェル１０３内に挿入された後のクロージャ肩部１０２の一部の拡大図を含む。クロージャ肩部１０２は、その内部の空洞によって形成される突出部１０８を含む。シェル１０３は、ここではシェル１０３を下向きに折り重ねた部分であるロックタブ１０９を含む。ロックタブ１０９は、突出部１０８に係合することにより、消費者による通常の使用中にクロージャ肩部１０２がシェル１０３から離脱するのを防ぐ。
【００１８】
図５Ａ及び図５Ｂは、飲料容器１００のさらなる側面図である。クロージャ肩部１０２の飲み口（ｄｒｉｎｋｉｎｇ  ｓｐｏｕｔ）１１２上には、キャップ１０１を螺着させることができる。飲み口１１２は、その外側垂直面上にねじ山を含む。クロージャ肩部１０２は、機械的密封リング１１０上のロック用リング１１７を受け取るためのロック用リング１１６を含む空洞１１３を含む。飲料容器１１０は、水又はその他の液体を保持できる飲料用バッグ１１１をさらに含む。機械的密封リング１１０の底部リップ部１１５の上面の外径は、飲料用バッグ１１１の開口部１１４よりも大きい。任意に、開口部１１４が広がって機械的密封リング１１０を受け取るように、機械的密封リング１１０のロック用リング１１７の直径も飲料用バッグ１１１の開口部１１４より大きい。
【００１９】
飲料用バッグ１１１の製造中には、機械的密封リング１１０を（当初は底部が開いている）飲料用バッグ１１１の底部から飲料用バッグ１１１内に配置する。次に、開口部１１４が機械的密封リング１１０の底部リップ部１１５の上面に載るまで機械的密封リング１１０を上方に移動させる。次に、ロック用リング１１７がロック用リング１１６に押し込まれるように機械的密封リング１１０をクロージャ肩部１０２内に押し込むことによって機械的密封リング１１０をクロージャ肩部１０２内の適所にロックし、これによって飲料用バッグ１１１をクロージャ肩部１０２に固定する。その後、熱、超音波（例えば、超音波溶接）又は他の既知の手段を用いて飲料用バッグ１１１の底部を密封する。
【００２０】
図６Ａ、図６Ｂ及び図６Ｃは、飲料容器１００のさらなる側面図である。図６Ａでは、飲料用バッグ１１１が開いた底部を有する。機械的密封リング１１０は、（上述したように）飲料用バッグ１１１の底部を通じて配置され、クロージャ肩部１０２に固定される。図６Ｂでは、機械的密封リング１１０が、（この時点で底部が密封されている）飲料用バッグ１１１の開口部１１４を通じて延びてクロージャ肩部１０２に固定される。図６Ｃでは、飲み口１１２のねじ山にキャップ１０１が螺着される。
【００２１】
図７は、飲料容器１００の別の側面図である。この場合も、機械的密封リング１１０をクロージャ肩部１０２に固定することによって、機械的密封リング１１０とクロージャ肩部１０２との間に飲料用バッグ１１１を水密固定する。
【００２２】
図８Ａ及び図８Ｂは、飲料容器１００の構成要素の別の側面図である。ロックタブ１０９及び突出部１０８を示す。
【００２３】
ここで、図１〜図８を参照しながら飲料容器１００の組み立てについてさらに説明する。シェル１０３は、任意にセルロース繊維を含む。任意に、シェル１０３上には、この飲料容器が販売されている場所を示す又は宣伝する画像を印刷することができる。シェル１０３を２次元の平坦な形状に切断し、標準的な自動フォルダ−グルアに通して折り畳み、側面を接着するとともに底部フラップ１０５を接着する。機械的密封リング１１０、クロージャ肩部１０２及びキャップ１０１は、好ましくは全て堆肥化可能なポリマーを用いて射出成形される。飲料用バッグ１１１をブロー成形し、その後にバッグの形に熱融着させる。機械的密封リング１１０を飲料用バッグ１１１に挿入した後に飲料用バッグ１１１の底部を密封する。
【００２４】
飲料用バッグ及び密封リング１１０を含むアセンブリをクロージャ肩部１０２の空洞１１３内に挿入し、ここでこれらの構成要素は、ロック用リング１１６及び１１７の強力な押し込み嵌めと係合とによって集合的に液密シールを形成して恒久的に固定される。次に、飲料用バッグ１１１に１つの開口部（すなわち、開口部１１４を通じたクロージャ肩部１０２上の飲み口１１２）のみを残して飲料用バッグ１１１の底部を熱融着させる。次に、飲み口１１２上にキャップ１０１を締め付けて密封容器を得る。その後、この密封容器をシェル１０３に挿入して、接着剤を使用することなくクロージャアセンブリを固定する。
【００２５】
飲料容器１００は、キオスク出願に開示される容器の改善版である。キオスク出願、及び本明細書において開示した発明では、飲料容器が、予めキャップを取り付けた状態でキオスクに保管される。キオスク出願では、キャップが、飲料を注入するための穴を含む。対照的に、本出願では、キャップ１０１が穴を含まない。これにより、キャップの設計及び製造プロセスの複雑性が低下するとともに、防水性の高いエンクロージャが実現される。本発明では、充填及び分注プロセス中に、キャップ１０１を飲み口１１２から取り外し、容器を充填して再びキャップ１０１を取り付ける。
【００２６】
従って、本出願において説明した方法には様々な利点がある。容器を速く充填することができる。分注プロセス中における流体の滴下又は飛散が減少する。キャップの製造が容易であってコストも低い。キャップの設計がしゃれている。これらは全て、本発明と以前の発明とを区別する重要な利点である。
【００２７】
次に、図９を参照しながら、充填及び分注プロセスに関するさらなる詳細を示す。キャッピング機構９００を示す。図２Ｂに示すように、飲料容器１００の複数のユニットは、各底部フラップが開いたまま積み重なった入れ子形態で保管される。ロボットが、飲料容器１００の単一のユニットを把持して閉鎖ユニット９０１に押し込み、閉鎖ユニット９０１は、ノッチ１０７が（任意に、シェル１０３の側壁のスリット内に挿入されることによって）シェル１０３の側壁に係合するように底部フラップ１０５をシェル１０３内に押し込んで飲料容器１００の底部を閉じる。
【００２８】
次に、ロボットは、飲料容器１００をシャトル９０２内に配置し、シャトル９０２は、飲料容器１００をトラック９０５に沿ってキャッピングサブアセンブリ９０３及び分注サブアセンブリ９０４に移動させる。キャッピングサブアセンブリ９０３は、キャップ１０１に係合し、飲み口１１２からキャップ１０１を螺脱させてキャップ１０１を保持する。次に、シャトル９０２は、飲料容器１００をトラック９０５に沿って分注サブアセンブリ９０４に移動させ、ここでキオスク出願において説明したように飲料用バッグ１１１に濾過水を満たす。次に、シャトル９０２は、再び飲料容器１００をキャッピングサブアセンブリ９０３に移動させ、ここでキャッピングサブアセンブリが再びキャップ１０１を飲み口１１２上に螺着させる。その後、飲料容器１００を回転ドアに落下させることができ、従って消費者は、飲料容器１００を取り出して消費することができる。任意に、シャトル９０２は、電気モータ及び／又は空気圧アクチュエータによって駆動されるベルト駆動式及び／又はロッド駆動式の線形アクチュエータによって制御することもできる。
【００２９】
本明細書における本発明への言及は、いずれかの請求項、又は請求項の用語の範囲を限定するものではなく、１又２以上の請求項の対象となり得る１又２以上の特徴について言及するものにすぎない。上述した材料、プロセス及び数多くの実施例は例示にすぎず、特許請求の範囲を限定するものと見なすべきではない。
【符号の説明】
【００３０】
１００  飲料容器
１０１  キャップ
１０２  クロージャ肩部
１１１  飲料用バッグ
【図１Ａ】
2018536603.tif 000003
【図１Ｂ】
2018536603.tif 000004
【図２Ａ】
2018536603.tif 000005
【図２Ｂ】
2018536603.tif 000006
【図３Ａ】
2018536603.tif 000007
【図３Ｂ】
2018536603.tif 000008
【図３Ｃ】
2018536603.tif 000009
【図４Ａ】
2018536603.tif 000010
【図４Ｂ】
2018536603.tif 000011
【図５Ａ】
2018536603.tif 000012
【図５Ｂ】
2018536603.tif 000013
【図６Ａ】
2018536603.tif 000014
【図６Ｂ】
2018536603.tif 000015
【図６Ｃ】
2018536603.tif 000016
【図７】
2018536603.tif 000017
【図８Ａ】
2018536603.tif 000018
【図８Ｂ】
2018536603.tif 000019
【図９】
2018536603.tif 000020
【国際調査報告】
2018536603.tif 000021
2018536603.tif 000022
2018536603.tif 000023